(57)【要約】【課題】布団の取り外しや洗濯が容易であると共に、布団にずれが生じにくい炬燵を提供する。【解決手段】炬燵１の構成を、枠体Ｆ及び脚部１５を有する炬燵本体１０と、枠体に囲まれた空間を上方から被覆する天板１７と、炬燵本体の全側周を複数で被覆する分割式の布団５１，５２と、雌雄で対をなすスナップボタンの一方であり、枠体の外側面に同一の高さで複数が取り付けられている第一係合部３１，３２と、雌雄で対をなすスナップボタンの他方であり、布団のそれぞれに第一係合部に対応させた位置関係で複数が取り付けられている第一被係合部６１，６２とを具備し、第一係合部及び第一被係合部の係合と解除によって布団が枠体に着脱される構成とする。【選択図】図１
2020076557.tif 000002
【特許請求の範囲】
【請求項１】
枠体、及び、設置面に立設されて前記枠体を支持する脚部を有する炬燵本体と、
前記枠体に囲まれた空間を上方から被覆する天板と、
前記炬燵本体の全側周を複数で被覆する分割式の布団と、
雌雄で対をなすスナップボタンの一方であり、前記枠体の外側面に同一の高さで複数が取り付けられている第一係合部と、
雌雄で対をなすスナップボタンの他方であり、前記布団のそれぞれに、前記第一係合部に対応させた位置関係で複数が取り付けられている第一被係合部と、を具備し、
前記布団は、前記第一係合部及び前記第一被係合部の係合と解除によって前記枠体に着脱される
ことを特徴とする炬燵。
【請求項２】
前記天板は、前記枠体に固着されており、
前記炬燵本体は、前記枠体に囲まれる空間を横切って前記枠体に接続されている補強部材を有していない
ことを特徴とする請求項１に記載の炬燵。
【請求項３】
前記炬燵本体の全側周を複数で被覆する分割式のカバーと、
雌雄で対をなすスナップボタンの一方であり、前記枠体の外側面に、前記第一係合部より高い位置で同一の高さに複数が取り付けられている第二係合部と、
雌雄で対をなすスナップボタンの他方であり、前記カバーのそれぞれに、前記第二係合部に対応させた位置関係で複数が取り付けられている第二被係合部と、を具備し、
前記カバーは、前記第二係合部及び前記第二被係合部の係合と解除によって前記枠体に着脱される
ことを特徴とする請求項１または請求項２に記載の炬燵。
【請求項４】
雌雄で対をなすスナップボタンの一方であり、前記カバーそれぞれのおもて面に取り付けられている第三係合部と、
雌雄で対をなすスナップボタンの他方であり、前記カバーそれぞれの裏面に取り付けられている第三被係合部と、を具備し、
隣接する二つの前記カバーは、一方の前記第三係合部と他方の前記第三被係合部との係合により、横方向の端部が重ね合わされた状態で前記枠体に取付けられる
ことを特徴とする請求項３に記載の炬燵。
【請求項５】
前記枠体の外側面において、全側周に亘り凹設された第一長溝と、
前記枠体の外側面において、前記第一長溝より高い位置で全側周に亘り凹設された第二長溝と、を具備し、
前記第一係合部が前記第一長溝内に埋設されていると共に、前記第二係合部が前記第二長溝内に埋設されている
ことを特徴とする請求項３または請求項４に記載の炬燵。
【発明の詳細な説明】
【技術分野】
【０００１】
本発明は、布団を備えた炬燵に関するものである。
【背景技術】
【０００２】
脚付きの枠組みに布団をかぶせて暖を取る炬燵では、通常、天板を布団の上から枠組みに載置することにより、テーブルとして使用している。そのため、布団を洗濯する際には、大きな天板を外してからでなければ布団を取り外すことができず、手間がかかるものであった。
【０００３】
また、炬燵用の布団は大型であるため、一般家庭では洗濯がしにくいものであった。
【０００４】
更に、炬燵用の布団は、枠組みと天板との間に挟み込まれているだけであるため、ずれが生じやすく、設置面と布団との間に隙間ができて内部の暖かい空気が漏れてしまうことがあった。
【発明の概要】
【発明が解決しようとする課題】
【０００５】
そこで、本発明は、上記の実情に鑑み、布団の取り外しや洗濯が容易であると共に、布団にずれが生じにくい炬燵の提供を、課題とするものである。
【課題を解決するための手段】
【０００６】
上記の課題を解決するため、本発明にかかる炬燵は、
「枠体、及び、設置面に立設されて前記枠体を支持する脚部を有する炬燵本体と、
前記枠体に囲まれた空間を上方から被覆する天板と、
前記炬燵本体の全側周を複数で被覆する分割式の布団と、
雌雄で対をなすスナップボタンの一方であり、前記枠体の外側面に同一の高さで複数が取り付けられている第一係合部と、
雌雄で対をなすスナップボタンの他方であり、前記布団それぞれに、前記第一係合部に対応させた位置関係で複数が取り付けられている第一被係合部と、を具備し、
前記布団は、前記第一係合部及び前記第一被係合部の係合と解除によって前記枠体に着脱される」ものである。
【０００７】
ここで、「スナップボタン」の語は、凸部材と凹部材を雌雄一対とする留め具の総称として用いており、凸部材と凹部材それぞれが布などの取り付け対象に縫い付けるための孔部を備えているもの、凸部材と凹部材それぞれが固定用部材を備えており、固定用部材との間に布などの取り付け対象を挟み込むものを含む。後者のスナップボタンには、固定用部材がリング状のもの、円盤状のもの、それらに爪の付いたもの等いろいろな種類があり、リングスナップ、アメリカンホック、ドットボタン、ストロングホックなどと称されることもある。固定用部材を備えるタイプのスナップボタンを使用する場合、雌雄のスナップボタンのうち、炬燵本体の枠体に取り付けられる方は凸部材または凹部材のみを取り付ければよく、布団及び後述のカバーに取り付けられる方は固定用部材を使用して取り付け対象（布団またはカバー）を挟み込むように取り付ける。
【０００８】
本構成では、炬燵用の布団が分割式であり、その複数で炬燵本体の全側周を被覆する。そして、それぞれの布団は、雌雄で対をなすスナップボタンの係合と解除によって枠体に着脱される。従って、従来の炬燵とは異なり、天板を取り外すことなく、容易に炬燵本体から布団を取り外すことができる。
【０００９】
また、分割式とすることにより、一つ一つは小さい布団とすることができ、小さい布団を単位として、一般家庭の洗濯機でも容易に洗濯することができる。加えて複数の布団のうち、一部のみを洗濯することが可能であるため、例えば、汚れた部分のみを取り外して洗濯することができる。従って、高い頻度で、手軽に、炬燵用の布団の洗濯を行うことができる。
【００１０】
更に、分割式の布団のそれぞれは、雌雄で対をなすスナップボタンの係合により、枠体にしっかりと取り付けられる。そのため、天板と枠体との間に布団を挟み込んでいた従来とは異なり、布団がずれることがない。そして、スナップボタンの係合は強固であるため、炬燵の使用時に布団が引っ張られた際にも、布団の枠体への取り付けが意図せず外れることがない。
【００１１】
なお、枠体の形状は、四角形（正方形、長方形）や円形とすることができる。また、脚部の数は、四角形の枠体の四隅を支持する四本であっても、大型の枠体を六本や八本で支持するものであっても、円形の枠体を三本以上で支持するものであってもよい。
【００１２】
本発明にかかる炬燵は、上記構成に加え、
「前記天板は、前記枠体に固着されており、
前記炬燵本体は、前記枠体に囲まれる空間を横切って前記枠体に接続されている補強部材を有していない」ものとすることができる。
【００１３】
従来の炬燵では、天板と枠体との間に布団を挟み込んでいたため、天板を枠体に固着することはできなかった。そのため、天板が枠体に対してずれ易いものであった。特に、冬季など布団を備えた炬燵として使用する時期以外に、布団を取り外して単なるテーブルとして使用するとき、天板が枠体に対してずれてしまうと、使い勝手が悪いだけではなく外観も劣る。これに対し、本発明の炬燵では、布団を枠体の外側面に取り付けるため、布団の取り付けに天板は無関係であり、天板を枠体に固着することができる。これにより、天板が枠体に対してずれることがないため、使い勝手が良いと共に外観の良いテーブルとして使用することができる。
【００１４】
また、従来の炬燵では、枠体の機械的強度を担保するために、枠体の内部空間を横切って枠体に接続されている補強部材を格子状に組み付けたり、補強部材を筋交いとしたりする必要があった。これに対し、本構成では、枠体に固着された天板によって枠体の機械的強度を高めることができるため、補強部材が不要である。そのため、従来の炬燵より簡易な構成でありながら、機械的強度の高い炬燵とすることができる。
【００１５】
本発明にかかる炬燵は、上記構成に加え、
「前記炬燵本体の全側周を複数で被覆する分割式のカバーと、
雌雄で対をなすスナップボタンの一方であり、前記枠体の外側面に、前記第一係合部より高い位置で同一の高さに複数が取り付けられている第二係合部と、
雌雄で対をなすスナップボタンの他方であり、前記カバーのそれぞれに、前記第二係合部に対応させた位置関係で複数が取り付けられている第二被係合部と、を具備し、
前記カバーは、前記第二係合部及び前記第二被係合部の係合と解除によって前記枠体に着脱される」ものとすることができる。
【００１６】
本構成では、分割式の布団に加えて、更に分割式のカバーを備えている。カバーは、布団が取り付けられる第一係合部より高い位置にある第二係合部を介して枠体に取り付けられるため、カバーによって布団を外側から被覆することができる。これにより、布団を厚手の生地や中綿を有する生地として保温性を高めつつ、外側のカバーを洗濯のし易い薄手の生地とすることができる。一般的に、厚手の生地や中綿を有する生地は洗濯がしにくいが、外側のカバーで布団の汚れを抑制することができると共に、カバーは布団より高い頻度で洗濯をすることができる。
【００１７】
そして、カバーも分割式であって、雌雄で対をなすスナップボタンの係合と解除によって枠体に着脱されるため、従来の炬燵用のカバー、すなわち、枠体にかぶせた布団の上に重ね合わせ、天板と枠体との間に挟み込ませたカバーと比べて、炬燵本体からの取り外しが容易であり、洗濯がしやすいと共に、布団や枠体に対してずれることがない。
【００１８】
本発明にかかる炬燵は、上記構成に加え、
「雌雄で対をなすスナップボタンの一方であり、前記カバーそれぞれのおもて面に取り付けられている第三係合部と、
雌雄で対をなすスナップボタンの他方であり、前記カバーそれぞれの裏面に取り付けられている第三被係合部と、を具備し、
隣接する二つの前記カバーは、一方の前記第三係合部と他方の前記第三被係合部との係合により、横方向の端部が重ね合わされた状態で前記枠体に取付けられる」ものとすることができる。
【００１９】
ここで、「横方向」とは、脚部を設置面から立設させた状態の炬燵を、炬燵より外方で設置面に立った人が枠体を構成する横材に正対した状態で見ているとき、各横材が延びている方向を指している。
【００２０】
本構成では、隣接するカバーが横方向で重ね合わされた状態で枠体に取り付けられるため、布団が分割式であっても、隣接する布団間に空隙が生じることを、外側のカバーで抑制することができる。そして、隣接するカバー同士を留め付けているのは、雌雄で対をなすスナップボタンであるため、カバーが引っ張られた際などに、意図せず外れることが抑制されている。
【００２１】
本発明にかかる炬燵は、上記構成に加え、
「前記枠体の外側面において、全側周に亘り凹設された第一長溝と、
前記枠体の外側面において、前記第一長溝より高い位置で全側周に亘り凹設された第二長溝と、を具備し、
前記第一係合部が前記第一長溝内に埋設されていると共に、前記第二係合部が前記第二長溝内に埋設されている」ものとすることができる。
【００２２】
本構成では、いずれも雌雄で対をなすスナップボタンの一方である第一係合部及び第二係合部が、それぞれ枠体の外側面に凹設された第一長溝及び第二長溝内に埋設されている。通常、炬燵を使用している人や炬燵が置かれた部屋にいる人の視線は、炬燵の枠体より高い位置にある。そのような高い位置から枠体を見下ろすとき、第一係合部及び第二係合部は長溝の縁部が障壁となって見えにくい。従って、冬季など布団を備えた炬燵として使用する時期以外に、布団やカバーを取り外して単なるテーブルとして使用する際の外観が良いものとなる。
【発明の効果】
【００２３】
以上のように、本発明によれば、布団の取り外しや洗濯が容易であると共に、布団にずれが生じにくい炬燵を、提供することができる。
【図面の簡単な説明】
【００２４】
【図１】本発明の一実施形態である炬燵の分解斜視図である。
【図２】図１の炬燵における炬燵本体の斜視図である。
【図３】図２の炬燵本体に分割式の布団を取り付けた状態の斜視図である。
【図４】図４（ａ）は図３の状態に更に分割式のカバーを取り付けた状態の斜視図であり、図４（ｂ）は枠体に対するカバーの取り付けの説明図である。
【図５】図１の炬燵のカバーとは相違する他の形態のカバーを取り付けた状態の炬燵の斜視図である。
【発明を実施するための形態】
【００２５】
以下、本発明の具体的な実施形態である炬燵１について、図面を用いて説明する。炬燵１は、炬燵本体１０と、天板１７と、分割式の布団５１，５２と、分割式のカバー７１，７２とを備えている。
【００２６】
炬燵本体１０は、枠体Ｆと、設置面に立設されて枠体Ｆを支持する脚部１５とを有している。枠体１０は、一対の横材１１と一対の横材１２とを直角に組み付けた四角形の枠体である。ここでは、枠体Ｆが正方形である場合を例示している。脚部１５は四本であり、枠体Ｆの四隅を支持している。
【００２７】
天板１７は、枠体Ｆに囲まれた空間を上方から被覆する平板であり、枠体Ｆの上面、すなわち、横材１１及び横材１２の上面に固着されている。天板１７が枠体Ｆに固着されていることにより、天板１７によって枠体Ｆの強度を担保することができるため、本実施形態では、枠体Ｆは横材１１及び横材１２のみからなり、強度を補強するための補強部材を有していない。天板１７の下面には、電気ヒータ１８が取付けられている。この電気ヒータ１８には、電気コードを介して商用電源から電気が共有されるが、電気コードの図示は省略している。
【００２８】
枠体Ｆの外側面には、全側周に亘り第一長溝２１が凹設されている。すなわち、枠体Ｆを構成する一対の横材１１及び一対の横材１２それぞれの外側面に、全長に亘り、同一高さで凹設された四本の長溝によって、第一長溝２１が構成されている。第一長溝２１の軸方向に直交する方向の断面はコ字形である。また、枠体Ｆの外側面には、第二長溝２２が形成されている。第二長溝２２は第一長溝２１より高い位置にあることを除き、第一長溝２１と同一の構成である。
【００２９】
一対の横材１１それぞれの第一長溝２１内には、雌スナップボタンである第一係合部３１が埋設されている。本実施形態では、一対の横材１１それぞれに三つの第一係合部３１が設けられており、一つは横材１１の中央に、残る二つは横材１１の両端それぞれの近傍に設けられている。同様に、他の一対の横材１２それぞれの第一長溝２１内にも、雌スナップボタンである第一係合部３２が、横材１２一つ当たり三つ埋設されている。上記と同様に、一つは横材１２の中央に、残る二つは横材１２の両端それぞれの近傍に設けられている。
【００３０】
また、一対の横材１１及び一対の横材１２それぞれの第二長溝２２内にも、それぞれ雌スナップボタンである第二係合部が、横材１１，１２一つ当たり三つ埋設されている。横材１１の第二長溝２２内における第二係合部の配置は、横材１１の第一長溝２１内における第一係合部３１の配置と同じであり、横材１２の第二長溝２２内における第二係合部の配置は、横材１２の第一長溝２１内における第一係合部３２の配置と同じであるが、第二係合部はそれぞれの取り付け位置によって区別をする。ここでは、横材１１の三つの第二係合部を、横材１１に向かって横方向における左から順に第一係合部４１ａ，４１ｂ，４１ｃと称して区別し、横材１２の三つの第二係合部を、横材１２に向かって横方向における左から順に第一係合部４２ａ，４２ｂ，４２ｃと称して区別する。
【００３１】
なお、本実施形態では枠体Ｆは正方形であるため、横材１１と横１２材の長さは同一であり、横材１１における第一係合部３１の配置と横材１２における第一係合部３２の配置とは同一であると共に、横材１１における第二係合部４１ａ，４１ｂ，４１ｃの配置と横材１２における第二係合部４２ａ，４２ｂ，４２ｃの配置とは同一である。枠体Ｆが長方形の場合は、横材１１の長さに応じて横材１１における第一係合部３１の配置、及び第二係合部４１ａ，４１ｂ，４１ｃの配置を定めると共に、横材１２の長さに応じて第一係合部３２の配置、及び第二係合部４２ａ，４２ｂ，４２ｃの配置を定める。
【００３２】
分割式の布団は、隣接する脚部１５間に形成される空間の数と同じ四枚あり、横方向の長さが横材１１より長い布団５１の一対と、横方向の長さが横材１２より長い布団５２の一対とからなる。布団５１，５２の高さは、脚部１５の下端を結んだ線と第一長溝２１との間の距離、すなわち、設置面に対する第一長溝２１の高さより大きく設定されている。
【００３３】
布団５１は、その裏面に、雌スナップボタンである第一係合部３１と係合する雄スナップボタンであって、第一係合部３１と同じ間隔で設けられた第一被係合部６１を三つ備えている。同様に、布団５２は、その裏面に、雌スナップボタンである第一係合部３２と係合する雄スナップボタンであって、第一係合部３２と同じ間隔で設けられた第一被係合部６２を三つ備えている。
【００３４】
なお、本実施形態では枠体Ｆは正方形で、横材１１と横材１２の長さは同一であるため、第一被係合部６１を備える布団５１の一対と、第一被係合部６２を備える布団５２の一対は、全て同一の構成である。枠体Ｆが長方形の場合は、横材１１の長さに応じて布団５１の横方向の長さを定め、横材１１における第一係合部３１の配置に対応させて布団５１における第一被係合部６１の配置を定めると共に、横材１２の長さに応じて布団５２の横方向の長さを定め、横材１２における第一係合部３２の配置に対応させて布団５２における第一被係合部６２の配置を定める。
【００３５】
分割式のカバーは、布団の数と同じく四枚あり、横方向の長さが布団５１より長いカバー７１の一対と、横方向の長さが布団５２より長いカバー７２の一対とからなる。カバー７１，７２の高さは、それぞれ布団５１，５２の高さより大きく設定されている。それぞれのカバー７１，７２は、上底より下底が長い略台形であり、横方向の両端における下端部は丸みを帯びるように湾曲している。
【００３６】
カバー７１は、その裏面に、雄スナップボタンを三つ備えている。そのうちの中央の雄スナップボタンは、横材１１における中央の第二係合部４１ｂと係合する第二被係合部８１ｂであり、カバー７１の横方向における中心に位置している。
【００３７】
残る二つの雄スナップボタンのうち一つは、カバー７１の横方向における左端近傍に設けられており、横材１２における右端の第二係合部４２ｃと係合可能な第二被係合部と、隣接するカバーの第三係合部（後述）と係合可能な第三被係合部とを兼ねた兼用被係合部８１ａである。第二被係合部８１ｂと兼用被係合部８１ａとの間の距離は、横材１１の第二係合部４１ｂと、横材１１の左端部が接合されている横材１２における右端の第二係合部４２ｃとの間の距離より、僅かに大きく設定されている。
【００３８】
残る一つの雄スナップボタンは、カバー７１の横方向における右端近傍に設けられており、横材１２における左端の第二係合部４２ａと係合可能な第二被係合部と、隣接するカバー７２の第三係合部（後述）と係合可能な第三被係合部とを兼ねた兼用被係合部８１ｃである。第二被係合部８１ｂと兼用被係合部８１ｃとの間の距離は、横材１１の第二係合部４１ｂと、横材１１の右端部が接合されている横材１２における左端の第二係合部４２ａとの間の距離より、僅かに大きく設定されている。
【００３９】
また、カバー７１は、そのおもて面に、雌スナップボタンを二つ備えている。そのうちの一方は、第二被係合部８１ｂと兼用被係合部８１ａとの間に位置している第三係合部９１ａであり、第二被係合部８１ｂと第三係合部９１ａとの間の距離は、横材１１における第二係合部４１ｂと第二係合部４１ａとの間の距離と略同一に設定されている。他方の雌スナップボタンは、第二被係合部８１ｂと兼用被係合部８１ｃとの間に位置している第三係合部９１ｃであり、第二被係合部８１ｂと第三係合部９１ｃとの間の距離は、横材１１における第二係合部４１ｂと第二係合部４１ｃとの間の距離と略同一に設定されている。
【００４０】
同様に、カバー７２は、その裏面に、雄スナップボタンを三つ備えている。そのうちの中央の雄スナップボタンは、横材１２における中央の第二係合部４２ｂと係合する第二被係合部８２ｂであり、カバー７２の横方向における中心に位置している。
【００４１】
残る二つの雄スナップボタンのうち一つは、カバー７２の横方向における左端近傍に設けられており、横材１１における右端の第二係合部４１ｃと係合可能な第二被係合部と、隣接するカバー７１の第三係合部９１ｃと係合可能な第三被係合部とを兼ねた兼用被係合部８２ａである。第二被係合部８２ｂと兼用被係合部８２ａとの間の距離は、横材１２の第二係合部４２ｂと、横材１２の左端部が接合されている横材１１における右端の第二係合部４１ｃとの間の距離より、僅かに大きく設定されている。
【００４２】
残る一つの雄スナップボタンは、カバー７２の横方向における右端近傍に設けられており、横材１１における左端の第二係合部４１ａと係合可能な第二被係合部と、隣接するカバー７１の第三係合部９１ａと係合可能な第三被係合部とを兼ねた兼用被係合部８２ｃである。第二被係合部８２ｂと兼用被係合部８２ｃとの間の距離は、横材１２の第二係合部４２ｂと、横材１２の右端部が接合されている横材１１における左端の第二係合部４１ａとの間の距離より、僅かに大きく設定されている。
【００４３】
また、カバー７２は、そのおもて面に、雌スナップボタンを二つ備えている。そのうちの一方は、第二被係合部８２ｂと兼用被係合部８２ａとの間に位置している第三係合部９２ａであり、第二被係合部８２ｂと第三係合部９２ａとの間の距離は、横材１２における第二係合部４２ｂと第二係合部４２ａとの間の距離と略同一に設定されている。他方の雌スナップボタンは、第二被係合部８２ｂと兼用被係合部８２ｃとの間に位置している第三係合部９２ｃであり、第二被係合部８２ｂと第三係合部９２ｃとの間の距離は、横材１２における第二係合部４２ｂと第二係合部４２ｃとの間の距離と略同一に設定されている。
【００４４】
なお、本実施形態では枠体Ｆは正方形で、横材１１と横材１２の長さは同一であるため、第二被係合部８１ｂ、兼用被係合部８１ａ，８１ｃ、及び第三係合部９１ａ，９１ｃを備えたカバー７１の一対と、第二被係合部８２ｂ、兼用被係合部８２ａ，８２ｃ、及び第三係合部９２ａ，９２ｃを備えたカバー７２の一対は、全て同一の構成である。枠体Ｆが長方形の場合は、横材１１，１２の長さに応じてカバー７１，７２の横方向の長さをそれぞれ定めると共に、横材１１における第二係合部４１ａ，４１ｂ，４１ｃの配置、及び横材１２における第二係合部４２ａ，４２ｂ，４２ｃの配置に対応させて、上記の位置関係及び距離関係に基づいて、カバー７１における第二被係合部８１ｂ、兼用被係合部８１ａ，８１ｃ、及び第三係合部９１ａ，９１ｃの位置、カバー７２における第二被係合部８２ｂ、兼用被係合部８２ａ，８２ｃ、及び第三係合部９２ａ，９２ｃの位置を定める。
【００４５】
次に、炬燵本体１０に対する布団５１，５２及びカバー７１，７２の取り付けについて説明する。炬燵本体１０に布団５１，５２を取り付ける際は、一対の横材１１それぞれが三つ備えている第一係合部３１と一対の布団５１それぞれが三つ備えている第一被係合部６１とを係合させると共に、一対の横材１２それぞれが三つ備えている第一係合部３２と一対の布団５２それぞれが三つ備えている第一被係合部６２とを係合させる。これにより、炬燵本体１０において隣接する脚部１５間に形成されている四つの空間それぞれが布団５１または布団５２によって被覆される。布団５１，５２の横方向の長さは、それぞれ横材１１，１２の長さより大きく設定されているため、図３に示すように、隣接する布団５１，５２それぞれの横方向における端部を重ね合わせることができる。
【００４６】
炬燵本体１０にカバー７１，７２を取り付ける際は、図４（ｂ）に例示するように、カバー７１の第二被係合部８１ｂと横材１１における中央の第二係合部４１ｂとを係合させ、兼用被係合部８１ａを横材１１の左端が接続された横材１２の第二係合部４２ｃと係合させると共に、兼用被係合部８１ｃを横材１１の右端が接続された横材１２の第二係合部４２ａと係合させる。この場合、兼用被係合部８１ａ，８１ｃは、本発明の「第二被係合部」として機能している。
【００４７】
一方、カバー７２の第二被係合部８２ｂと横材１２における中央の第二係合部４２ｂとを係合させ、兼用被係合部８２ａを左側で隣接するカバー７１の第三係合部９１ｃと係合させると共に、兼用被係合部８２ｃを右側で隣接するカバー７１の第三係合部９１ａと係合させる。この場合、兼用被係合部８２ａ，８２ｃは、本発明の「第三被係合部」として機能している。
【００４８】
このようなカバー７１，７２の取り付けにより、分割式の四枚の布団５１，５２それぞれが、図４に示すように、分割式の四枚のカバー７１，７２によって被覆される。このとき、横材１１の下方の空間を被覆するカバー７１の両端部の兼用被係合部８１ａ，８１ｃを、それぞれ隣接する横材１２側に回り込ませて第二係合部４２ｃ，４２ａと係合させており、横材１２の下方の空間を被覆するカバー７２の両端部の兼用被係合部８２ａ，８２ｃを、それぞれ隣接する横材１１側に回り込ませて第三係合部９１ｃ，９１ａと係合させていることにより、隣接するカバー７１，７２それぞれの横方向の端部が重ね合わされた状態となる。
【００４９】
これにより、上述したように横方向における端部同士を重ね合わせている布団５１，５２の重ね合わせ部分が、隣接するカバー７１，７２の重ね合わせ部分によって外側から被覆されることとなるため、分割式の布団５１，５２の間に空隙が生じることが抑制される。また、カバー７１，７２それぞれの形状が、下底が上底より長い略台形であり、隣接する７１，７２の重ね合わせ部分が下方に向かうほど大きくなっているため、布団５１，５２の間に空隙が生じることがより効果的に抑制されている。
【００５０】
なお、図４（ｂ）を用いて上述したように、カバー７１の横方向における両端部が、カバー７２の横方向における両端部によって被覆されるようにカバー７１，７２を取り付ける場合（「取り付け方法Ａ」と称する）、横材１１の第二係合部４１ａ，４１ｃとカバー７２の第三係合部９２ａ，９２ｃは不使用である。
【００５１】
このような取り付け方法Ａに替えて、カバー７２の横方向における両端部が、カバー７１の横方向における両端部によって被覆されるようにカバー７１，７２を取り付けることもできる（「取り付け方法Ｂ」と称する）。すなわち、カバー７２の第二被係合部８２ｂと横材１２の第二係合部４２ｂとを係合させ、兼用被係合部８２ａ，８２ｃをそれぞれ横材１１の第二係合部４１ｃ，４１ａと係合させると共に、カバー７１の第二被係合部８１ｂと横材１１の第二係合部４１ｂとを係合させ、兼用被係合部８１ａ，８１ｃをそれぞれカバー７２の第三係合部９２ｃ，９２ａと係合させる。この場合、兼用被係合部８１ａ，８１ｃは、本発明の「第三被係合部」として機能しており、兼用被係合部８２ａ，８２ｃは、本発明の「第二被係合部」として機能している。また、この取り付け方法Ｂの場合、横材１２の第二係合部４２ａ，４２ｃとカバー７１の第三係合部９１ａ，９１ｃは不使用である。
【００５２】
なお、図を用いて例示しているように、枠体Ｆが正方形でカバー７１，７２及びこれに対応する構成が同一である場合は、取り付け方法Ａと取り付け方法Ｂを区別する必要はなく、枠体Ｆが長方形でカバー７１，７２及びこれに対応する構成が相違する場合に、両方法を区別する意義がある。
【００５３】
以上のように、本実施形態の炬燵１によれば、布団５１，５２及びカバー７１，７２が分割式で、枠体Ｆに対して着脱式であるため、従来の炬燵とは異なり、天板１７を取り外すことなく、布団５１，５２及びカバー７１，７２を容易に炬燵本体１０から取りし、洗濯することができる。また、それぞれ複数の布団５１，５２及びカバー７１，７２のうち、汚れた布団またはカバーだけを取り外して、手軽に洗濯をすることができる。更に、分割式の布団５１，５２及びカバー７１，７２は、一体物の布団及びカバーより小さいため、一般家庭でも容易に洗濯することができる。
【００５４】
更に、分割式の布団５１，５２及びカバー７１，７２のそれぞれは、雌雄で対をなすスナップボタンの係合により、枠体Ｆにしっかりと取り付けられるため、天板と枠体との間に布団及びカバーを挟み込んでいた従来とは異なり、布団５１，５２及びカバー７１，７２がずれることがない。そして、スナップボタンの係合は強固であるため、炬燵の使用時に布団５１，５２やカバー７１，７２が引っ張られたとしても、枠体Ｆへの取り付けが意図せず外れることがない。
【００５５】
また、枠体Ｆに固着された天板１７によって枠体Ｆの機械的強度が担保されているため、枠体Ｆの強度を補強する補強部材が不要であり、炬燵１の構成が簡易である。
【００５６】
加えて、隣接する布団５１，５２が横方向で重ね合わされており、その重ね合わせ部分を更に、隣接するカバー７１，７２が横方向で重ね合わされた部分で外側から被覆しているため、分割式の布団５１，５２間に空隙が生じることが抑制されている。
【００５７】
更に雌スナップボタンである第一係合部３１，３２及び第二係合部４１ａ〜４１ｃ，４２ａ〜４２ｃが、それぞれ枠体Ｆの外側面に凹設された第一長溝２１及び第二長溝２２内に埋設されているため、長溝の縁部が障壁となって第一係合部３１，３２及び第二係合部４１ａ〜４１ｃ，４２ａ〜４２ｃが見えにくく、炬燵１から布団５１，５２やカバー７１，７２を取り外して単なるテーブルとして使用する際の外観が良いものとなっている。
【００５８】
また、本実施形態では、枠体Ｆが正方形であって横材１１及び横材１２それぞれの第一係合部３１，３２及び第二係合部４１ａ〜４１ｃ，４２ａ〜４２ｃが同一の構成であり、布団５１，５２及びカバー７１，７２もそれぞれ同一の構成である。そのため、布団５１，５２を区別することなく容易に枠体Ｆに取り付けることができ、カバー７１，７２を区別することなく容易に枠体Ｆに取り付けることができる利点がある。
【００５９】
以上、本発明について好適な実施形態を挙げて説明したが、本発明は上記の実施形態に限定されるものではなく、以下に示すように、本発明の要旨を逸脱しない範囲において、種々の改良及び設計の変更が可能である。
【００６０】
例えば、上記では、取り付け方法Ａ，Ｂの双方が可能な構成を例示した。これに限定されず、取り付け方法Ａのみが可能な構成として、横材１１の第二係合部４１ａ，４１ｃとカバー７２の第三係合部９２ａ，９２ｃを省略した構成とすることも、取り付け方法Ｂのみが可能な構成として、横材１２の第二係合部４２ａ，４２ｃとカバー７１の第三係合部９１ａ，９１ｃを省略した構成とすることもできる。
【００６１】
また、上記では、カバー７１，７２の形状を略台形とすることにより、隣接するカバー７１，７２が重なり合う部分を下方に向かうほど大きくする場合を例示した。これに限定されず、図５に例示するように、枠体Ｆの角部に沿わせる部分にギャザーを寄せたカバー７１ｂ，７２ｂとすることにより、隣接するカバー７１ｂ，７２ｂが重なり合う部分を下方に向かうほど大きくすることができる。
【００６２】
更に、上記では、分割式の布団の数を脚部の本数と同一とし、布団一つで隣接する脚部間の空間一つを被覆する場合を例示した。これに限定されず、例えば、脚部間の空間を四つ備える炬燵本体に対し、隣接する空間を二つずつ被覆するように、分割式の布団を二枚とすることができる。
【００６３】
なお、分割式の布団や分割式のカバーは、色や柄を統一して“一枚もの”と同様の雰囲気で使用することもできるが、敢えて色や柄の異なる布団やカバーを組み合わせる分割式ならではの使用態様とすることもできる。
【符号の説明】
【００６４】
１  炬燵
１０  炬燵本体
１５  客体
１７  天板
３１，３２  第一係合部
４１ａ，４１ｂ，４１ｃ  第二係合部
４２ａ，４２ｂ，４２ｃ  第二係合部
５１，５２  布団
６１，６２  第一被係合部
７１，７２  カバー
８１ａ，８１ｃ  兼用被係合部（第二被係合部、第三被係合部）
８１ｂ  第二被係合部
８２ａ，８２ｃ  兼用被係合部（第二被係合部、第三被係合部）
８２ｂ  第二被係合部
９１ａ，９１ｃ  第三係合部
９２ａ，９２ｃ  第三係合部
Ｆ  枠体
【図１】
2020076557.tif 000003
【図２】
2020076557.tif 000004
【図３】
2020076557.tif 000005
【図４】
2020076557.tif 000006
【図５】
2020076557.tif 000007